(57)【要約】【課題】障害物と平行して物を切断する場合でも、この障害物が邪魔になることのない鋸用の把手を提供すること。【解決手段】刃部１０１のフック１０４の挿入角度が異なる三つのフック収納用凹部１０５Ａ、１０５Ｂ、１０５Ｃが設けておき、フック１０４を挿入するフック収納用凹部１０５Ａ、１０５Ｂ、１０５Ｃを変えることにより、刃部１０１の側面１０１ａとの間の角度δを変えることができるようにしたことを特徴とする鋸用の把手１００を提供する。【選択図】図３
2004283922.tif 000002
【特許請求の範囲】
【請求項１】
一端を開放端とする円弧状に形成されたフックが長手方向の一端に設けられている刃部と、フック収納用凹部が長手方向の一端に設けられている把手と、を有し、前記フックを前記フック収納用凹部に挿入して、ピンを前記把手の一方の側面から挿入し円弧状に形成された前記フックの内周面に引っ掛けることで、前記刃部と前記把手とを固定し、前記刃部を前記把手に着脱自在に取り付けることができるようにした鋸に用いられる把手であって、
前記刃部の側面との間の角度を変えることができるようにしたことを特徴とする把手。
【請求項２】
前記フックの挿入角度が異なる複数の前記フック収納用凹部が設けられており、前記フックを挿入する前記フック収納用凹部を変えることにより、前記刃部の側面との間の角度を変えることができるようにしたことを特徴とする請求項１に記載の把手。
【請求項３】
前記フック収納用凹部は、対向している側壁が前記フックを挿入する開口部から徐々に離れるように、横断面が扇状に形成されており、
前記ピンには、前記フックを挟み込むことができる壁体がラセン状に形成されており、
前記ピンを回転させることにより、前記フックがラセン状に形成されている前記壁体に沿って移動することで、前記フック収納用凹部の開口部を支点として前記刃部をその側面方向に移動させ、前記刃部の側面との間の角度を変えることができるようにしたことを特徴とする請求項１に記載の把手。
【請求項４】
前記フック収納用凹部は、対向している側壁が前記フックを挿入する開口部から徐々に離れるように、横断面が扇状に形成されており、
前記フック収納用凹部の内部には、前記フックを保持する保持部と、この保持部に上方から連結されている支持部と、を有する保持具が収納されており、
前記把手の上面には、前記フック収納用凹部の開口部側を中心とする円弧状にレール用貫通孔が形成されており、
前記支持部の上端は、前記レール用貫通孔を介して前記把手の上面に突出し、前記把手の上面から前記支持部に固定具を装着することができるようにされており、
前記把手の上面から突出している前記支持部の上端の位置を前記レール用貫通孔に沿って移動させることにより、前記フック収納用凹部の開口部を支点として前記刃部をその側面方向に移動させ、前記刃部の側面との間の角度を変えることができるようにしたことを特徴とする請求項１に記載の把手。
【請求項５】
一端を開放端とする円弧状に形成されたフックが長手方向の一端に設けられている刃部と、フック収納用凹部が長手方向の一端に設けられている把手と、を有し、前記フックを前記フック収納用凹部に挿入して、ピンを前記把手の一方の側面から挿入し円弧状に形成された前記フックの内周面に引っ掛けることで、前記刃部と前記把手とを固定し、前記刃部を前記把手に着脱自在に取り付けることができるようにした鋸に用いられる把手であって、
前記把手は、前記フック収納用凹部が設けられている側の第一の部材と、前記第一の部材を前記刃部の側面の方向に曲げることができるように前記第一の部材と回動自在に連結された第二の部材とにより構成されており、
前記第一の部材と前記第二の部材とを所定の位置で固定することで、前記刃部の側面と第二の部材との間の角度を変えることができるようにしたことを特徴とする把手。
【請求項６】
一端を下方に折曲げることにより円弧状に形成されたフックが長手方向の一端に設けられている刃部と、相対向する側壁が下方から上方に向かって徐々に間隔が狭くなるようにテーパーの付けられたフック収納用凹部が長手方向の一端に設けられている把手と、前記フック収納用凹部を貫通するように前記把手の一方の側面から他方の側面に挿入されたピンと、を有し、前記フックの一端を前記フック収納用凹部の下方から挿入して、前記フックの内周面にピンを引っ掛けた状態で、前記ピンを軸として前記刃部を上方に回転させることにより、前記側壁の間に前記刃部を挟み込み、前記刃部と前記把手とを固定することができるようにした鋸に用いられる把手であって、
前記刃部の側面との間の角度を変えることができるようにしたことを特徴とする把手。
【請求項７】
前記フックの挿入角度が異なる複数の前記フック収納用凹部が設けられており、前記フックを挿入する前記フック収納用凹部を変えることにより、前記刃部の側面との間の角度を変えることができるようにしたことを特徴とする請求項６に記載の把手。
【請求項８】
一端を下方に折曲げることにより円弧状に形成されたフックが長手方向の一端に設けられている刃部と、相対向する側壁が下方から上方に向かって徐々に間隔が狭くなるようにテーパーの付けられたフック収納用凹部が長手方向の一端に設けられている把手と、前記フック収納用凹部を貫通するように前記把手の一方の側面から他方の側面に挿入されたピンと、を有し、前記フックの一端を前記フック収納用凹部の下方から挿入して、前記フックの内周面にピンを引っ掛けた状態で、前記ピンを軸として前記刃部を上方に回転させることにより、前記側壁の間に前記刃部を挟み込み、前記刃部と前記把手とを固定することができるようにした鋸に用いられる把手であって、
前記把手は、前記フック収納用凹部が設けられている側の第一の部材と、前記第一の部材を前記刃部の側面の方向に曲げることができるように前記第一の部材と回動自在に連結された第二の部材とにより構成されており、
前記第一の部材と前記第二の部材とを所定の位置で固定することで、前記刃部の側面と第二の部材との間の角度を変えることができるようにしたことを特徴とする把手。
【請求項９】
請求項１乃至８の何れか一項に記載された把手を有することを特徴とする鋸。
【発明の詳細な説明】
【０００１】
【発明の属する技術分野】
本発明は、鋸に用いられる把手に関し、特に、刃部と把手とを着脱自在にした鋸に用いられる把手に関する。
【０００２】
【従来の技術】
従来の鋸に用いられる把手、特に図１４に表されているように、一端が開放端となっている円弧状に形成されたフック７０４が長手方向の一端に設けられている刃部７０１と、フック収納用凹部７０５が長手方向の一端に設けられている把手７００と、を有し、フック７０４をフック収納用凹部７０５に挿入して、ピン７０６を把手７００の一方の側面７００ａから挿入し円弧状に形成されたフック７０４の内周面７０４ａに引っ掛けることで、刃部７０１と把手７００とを固定し、刃部７０１を把手７００に着脱自在に取り付けることができるようにした鋸７０２に用いられる把手７００においては、図１５に表されているように、刃部７０１と把手７００との間の角度εが、ほぼ１８０°になるように形成されていた（例えば、特許文献１〜５参照。）。
【０００３】
【特許文献１】
特開平０５−１８５３８１号公報
【０００４】
【特許文献２】
特開平０７−２３７２０１号公報
【０００５】
【特許文献３】
特開平０８−１５５９０４号公報
【０００６】
【特許文献４】
特開平１０−２４４４１７号公報
【０００７】
【特許文献５】
特開２００１−３１５１０２号公報
【０００８】
【発明が解決しようとする課題】
しかしながら、従来の鋸７０２に用いられている把手７００のように、刃部７０１との間の角度を１８０°になるように形成したのでは、例えば、壁などの障害物の傍で、この障害物と平行して物を切断するような場合に、把手７００を握ることができず、また、把手７００を握った手が障害物にぶつかり不便であった。
【０００９】
そこで、本発明は、障害物と平行して物を切断する場合でも、この障害物が邪魔になることのない把手を提供することを目的とする。
【００１０】
【課題を解決するための手段】
以上の課題を解決するため、本発明は、一端を開放端とする円弧状に形成されたフックが長手方向の一端に設けられている刃部と、フック収納用凹部が長手方向の一端に設けられている把手と、を有し、前記フックを前記フック収納用凹部に挿入して、ピンを前記把手の一方の側面から挿入し円弧状に形成された前記フックの内周面に引っ掛けることで、前記刃部と前記把手とを固定し、前記刃部を前記把手に着脱自在に取り付けることができるようにした鋸に用いられる把手であって、前記刃部の側面と前記把手との間の角度を変えることができるようにしたことを特徴とする把手を提供する。
【００１１】
片側又は両側に刃が形成されている刃部には、長手方向の一端にフックが設けられている。
【００１２】
一端を刃部に連結したフックは、他の一端を開放端とする円弧状に形成されており、その内周面側に後述するピンを引っ掛けることができるようにされている。
【００１３】
把手には、長手方向の一端にフックを収納することができるフック収納用凹部が形成されており、このフック収納用凹部にフックを挿入し、把手の側面からピンを挿入し、円弧状に形成されているフックの内周面に引っ掛けることで、刃部と把手とを固定することができるようにされており、このピンを取り外すことにより、刃部と把手とは着脱自在にされている。
【００１４】
このようにして着脱自在に形成されている刃部と把手において、刃部の側面と把手との間の角度を変えることができるようにすることにより、障害物と平行して物を切断する場合でも、この障害物が邪魔になることがなくなる。
【００１５】
ここで、刃部の側面と把手との間の角度を変える方法としては、把手にフックの挿入角度が異なるように形成した複数のフック収納用凹部を設けておくことにより、フックを挿入するフック収納用凹部を変えることで、刃部の側面と把手との間の角度を変えることができるようにすることができる。
【００１６】
また、把手に形成するフック収納用凹部を、開口部から対向している側壁が徐々に離れるように横断面が扇状になるように形成することで、このフック収納用凹部の内部でフックの位置を変えることができるようなスペースを確保しておき、フックを引っ掛けるピンに、このフックを挟み込むことができる壁体をラセン状に形成し、このピンを回転させることで、ピンに引っ掛けたフックがこのラセン状の壁体に沿って移動し、フック収納用凹部の開口部を支点として刃部を刃部の側面方向に移動させ、刃部の側面と把手との間の角度を変えることができるようにすることもできる。
【００１７】
また、把手に形成するフック収納用凹部を、対向している側壁が開口部から徐々に離れるように横断面が扇状に形成することで、このフック収納用凹部の内部でフックの位置を変えることができるスペースを確保しておき、このフック収納用凹部の内部に、フックを保持する保持部とこの保持部に上方から連結されている支持部とを有する保持具を収納する。
【００１８】
そして、この支持部の上端を把手の上面に形成されているレール用貫通孔を介して把手の上面に突出させ、フック収納用凹部の開口部側を中心とする円弧状に形成されているレール用貫通孔に沿って支持部の上端を移動させることにより、この支持部に保持されているフックを移動させ、フック収納用凹部の開口部を支点として刃部を刃部の側面方向に移動させることができるようにして、刃部の側面と把手との間の角度を変えることができるようにすることもできる。
【００１９】
なお、把手の上面に突出している支持部の上端には、この把手の上面から固定具を装着することにより、この上端がフック収納用凹部の内部に入り込んでしまうことを防止すると共に、保持具の位置を固定することができるようになる。
【００２０】
さらに、本発明は、一端を開放端とする円弧状に形成されたフックが長手方向の一端に設けられている刃部と、フック収納用凹部が長手方向の一端に設けられている把手と、を有し、前記フックを前記フック収納用凹部に挿入して、ピンを前記把手の一方の側面から挿入し円弧状に形成された前記フックの内周面に引っ掛けることで、前記刃部と前記把手とを固定し、前記刃部を前記把手に着脱自在に取り付けることができるようにした鋸に用いられる把手であって、前記把手は、前記フック収納用凹部が設けられている側の第一の部材と、前記第一の部材を前記刃部の側面の方向に曲げることができるように前記第一の部材と回動自在に連結された第二の部材とにより構成されており、前記第一の部材と前記第二の部材とを所定の位置で固定することで、前記刃部の側面と第二の部材との間の角度を変えることができるようにしたことを特徴とする把手を提供する。
【００２１】
ここでは、把手を第一の部材と第二の部材により構成し、第一の部材にはフック収納用凹部が設けられており、このような第一の部材を第二の部材に対して回動自在に連結することで、刃部の側面と第二の部材との間の角度を変えることができるようにしている。
【００２２】
また、本発明は、一端を下方に折曲げることにより円弧状に形成されたフックが長手方向の一端に設けられている刃部と、相対向する側壁が下方から上方に向かって徐々に間隔が狭くなるようにテーパーの付けられたフック収納用凹部が長手方向の一端に設けられている把手と、前記フック収納用凹部を貫通するように前記把手の一方の側面から他方の側面に挿入されたピンと、を有し、前記フックの一端を前記フック収納用凹部の下方から挿入して、前記フックの内周面にピンを引っ掛けた状態で、前記ピンを軸として前記刃部を上方に回転させることにより、前記側壁の間に前記刃部を挟み込み、前記刃部と前記把手とを固定することができるようにした鋸に用いられる把手であって、前記刃部の側面との間の角度を変えることができるようにしたことを特徴とする把手を提供する。
【００２３】
片側又は両側に刃が形成されている刃部には、長手方向の一端にフックが設けられている。
【００２４】
一端を刃部に連結したフックは、他の一端を下方に折曲げることにより円弧状に形成されており、その内周面側に後述するピンを引っ掛けることができるようにされている。
【００２５】
把手には、長手方向の一端にフックを収納することができるフック収納用凹部が形成されており、このフック収納用凹部には、相対向する壁面の間隔が下方から上方に向かって狭くなるようなテーパーが設けられている。
【００２６】
また、この把手には、フック収納用凹部を貫通するように、この把手の一方の側面から他方の側面にピンが挿入されている。
【００２７】
そして、フックの一端をこのフック収納用凹部の下方から挿入して、フックの内周面にピンを引っ掛けた状態で、このピンを軸として刃部を上方に回転させることにより、テーパーの付けられた側壁の間に刃部を挟み込み、刃部と把手とを固定することで、刃部と把手とは着脱自在に取り付けることができるようにされている。
【００２８】
このようにして着脱自在に形成されている刃部と把手において、刃部の側面と把手との間の角度を変えることができるようにすることにより、障害物と平行して物を切断する場合でも、この障害物が邪魔になることがなくなる。
【００２９】
ここで、刃部の側面と把手との間の角度を変える方法としては、把手にフックの挿入角度が異なるように形成した複数のフック収納用凹部を設けておくことにより、フックを挿入するフック収納用凹部を変えることで、刃部の側面と把手との間の角度を変えることができるようにすることができる。
【００３０】
また、本発明は、一端を下方に折曲げることにより円弧状に形成されたフックが長手方向の一端に設けられている刃部と、相対向する側壁が下方から上方に向かって徐々に間隔が狭くなるようにテーパーの付けられたフック収納用凹部が長手方向の一端に設けられている把手と、前記フック収納用凹部を貫通するように前記把手の一方の側面から他方の側面に挿入されたピンと、を有し、前記フックの一端を前記フック収納用凹部の下方から挿入して、前記フックの内周面にピンを引っ掛けた状態で、前記ピンを軸として前記刃部を上方に回転させることにより、前記側壁の間に前記刃部を挟み込み、前記刃部と前記把手とを固定することができるようにした鋸に用いられる把手であって、前記把手は、前記フック収納用凹部が設けられている側の第一の部材と、前記第一の部材を前記刃部の側面の方向に曲げることができるように前記第一の部材と回動自在に連結された第二の部材とにより構成されており、前記第一の部材と前記第二の部材とを所定の位置で固定することで、前記刃部の側面と第二の部材との間の角度を変えることができるようにしたことを特徴とする把手を提供する。
【００３１】
このように、把手を第一の部材と第二の部材により構成し、第一の部材にはフック収納用凹部が設けられており、このような第一の部材を第二の部材に対して回動自在に連結することにより、刃部の側面と第二の部材との間の角度を変えることができるようになる。
【００３２】
なお、本発明に係る把手は、把手単独の形態で提供することも可能であり、把手に刃部を取り付けた鋸の形態で提供することも可能である。
【００３３】
【発明の実施の形態】
図１は、本発明の第一の実施形態に係る把手１００及び刃部１０１の分解斜視図である。
【００３４】
刃部１０１の幅方向の先端には、刃１０３が形成されており、本実施形態では、幅方向の片側の先端にのみ刃１０３を設けた片刃としているが、両側の先端には１０３を設ける両刃とすることも可能である。
【００３５】
刃部１０１の長手方向の端部１０１ｂには、一端１０４ａを開放端とし、この一端１０４ａを下方に折曲げることにより円弧状に形成されたフック１０４が設けられている。
【００３６】
把手１００の長手方向の一端１００ａには、刃部１０１に設けられているフック１０４を挿入するためのフック収納用凹部１０５Ａ、１０５Ｂ、１０５Ｃが、三つ設けられている。
【００３７】
フック収納用凹部１０５Ａ、１０５Ｂ、１０５Ｃの形状及び大きさについては、刃部１０１に設けられているフック１０４を挿入することができるように、適時選択すればよい。
【００３８】
また、三つ設けられているフック収納用凹部１０５Ａ、１０５Ｂ、１０５Ｃは、図２に表されているよう、それぞれフック１０４を挿入した場合に、把手１００の中心線に対する挿入角度がそれぞれ異なるようにされている。
【００３９】
即ち、図２に表されているように、第一のフック収納用凹部１０５Ａの挿入角度αと、第二のフック収納用凹部１０５Ｂの挿入角度βと、第三のフック収納用凹部１０５Ｃの挿入角度γと、はそれぞれ異なるようにされている。
【００４０】
したがって、図３に表されているように、刃部１０１のフック１０４を挿入するフック収納用凹部１０５Ａ、１０５Ｂ、１０５Ｃを選択することにより（図３では、第一のフック収納用凹部１０５Ａにフック１０４を挿入している。）、刃部１０１の側面１０１ｃと把手１００との間の角度δを変更することができるようにされている。
【００４１】
なお、本実施形態では、フック収納用凹部１０５Ａ、１０５Ｂ、１０５Ｃを三つ設けたが、この数については適時選択することができる設計事項であり、フック収納用凹部１０５Ａ、１０５Ｂ、１０５Ｃを多く設ければ設けるほど、刃部１０１の側面１０１ｃと把手１００との間の角度δを細かく変更することができるようになる。
【００４２】
また、刃部１０１と把手１００とは、刃部１０１に設けられているフック１０４を把手１００に設けられているフック収納用凹部１０５Ａ、１０５Ｂ、１０５Ｃに挿入した後、ピン１０６を把手１００の側面１００ｂに設けられている貫通孔１０８から挿入することにより、ピン１０６が円弧状に設けられているフック１０４の内周面１０９に引っかかり、刃部１０１と把手１００とが固定されることとなる。
【００４３】
図４は、本発明の第二の実施形態に係る把手２００及び刃部１０１の分解斜視図である。
【００４４】
本発明の第二の実施形態における刃部１０１については、第一の実施形態で説明したところと同様であるため、説明を省略する。
【００４５】
本実施形態に係る把手２００においては、フック収納用凹部２０５の相対向している側壁２０５ｂ−Ａ、２０５ｂ−Ｂが、フック収納用凹部２０５の開口部２０５ａ側から徐々に離れるように、フック収納用凹部２０５を横断面が扇状になるように形成することで、このフック収納用凹部２０５内で刃部１０１に形成されたフック１０４の位置を変更することができるようなスペースを確保している。
【００４６】
このスペースについては、後述するように、ピン２０６に形成されている壁体２１０に沿ってフック１０４が把手２００の横方向に移動することができる程度のスペースを確保しておけばよい。
【００４７】
そして、把手２００と刃部１０１とは、ピン２０６で固定されるが、本実施形態において、ピン２０６には、図５に表されているように、ラセン状の壁体２１０が形成されており、壁体２１０同士の間隔Ｙは、フック１０４の間隔Ｚよりも大きくなるように形成されており、壁体２１０の間にフック１０４を挟み込むことができるようにされている。
【００４８】
したがって、ピン２０６の壁体２１０の間にフック１０４の内周面１０９を挿入し、このフック１０４にピン２０６を引っ掛けることで、ピン２０６を図５のＳ方向に回転させると、フック１０４は図５のＵ方向に移動し、ピン２０６を図５のＴ方向に回転させると、フック１０４は図５のＶ方向に移動するようになる。
【００４９】
このように、把手２００と刃部１０１とを固定するピン２０６にラセン状の壁体２１０を設けたので、このピン２０６を回転させることにより、刃部１０１に設けられているフック１０４の位置を移動させることができることから、刃部１０１は、このフック１０４の位置の移動に対応して、フック収納用凹部２０５の開口部２０５ａを支点として刃部１０１の側面１０１ａ方向（図４のＷ又はＸ方向）に移動し、刃部１０１の側面１０１ａと把手２００との間の角度を変えることができるようになる。
【００５０】
図６は、本発明の第三の実施形態に係る把手３００及び刃部１０１の上方斜視図である。
【００５１】
本実施形態における刃部１０１についても、第一の実施形態で説明したところと同様であるため、説明を省略する。
【００５２】
本実施形態に係る把手３００においても、第二の実施形態と同様に、フック収納用凹部３０５の相対向している側壁３０５ｂ−Ａ、３０５ｂ−Ｂが、フック収納用凹部３０５の開口部３０５ａ側から徐々に離れるように、フック収納用凹部３０５を横断面が扇状になるように形成することで、このフック収納用凹部３０５内で刃部１０１に形成されたフック１０４の位置を変更することができるようなスペースを確保している。
【００５３】
そして、フック収納用凹部３０５内には、フック１０４を保持する保持具３１１が収納される。
【００５４】
保持具３１１は、フック１０４に嵌合してこのフック１０４を保持する保持部３１２と、この保持部３１２に上方から連結された支持部３１３と、により構成されている。
【００５５】
把手３００の上面３００ｃであって、フック収納用凹部３０５の上方には、フック収納用凹部３０５の開口部３０５ａを中心とする円弧状にレール用貫通孔３１４が形成されており、このレール用貫通孔３１４を介して保持具３１１の支持部３１３の上端３１３ａが把手３００の上方に突出するようにされている。
【００５６】
なお、支持部３１３の上方には、雄ネジ３１４が形成されており、この雄ネジ３１４に、雌ネジが形成されている蝶ネジ３１５をネジ込むことにより、保持具３１１がフック収納用凹部３０５の中に入り込んでしまうことを防止すると共に、保持具３１１をレール用貫通孔３１４の任意の位置に固定することができるようにしている。
【００５７】
このような保持具３１１が内部に収納されているフック収納用凹部３０５の中に、刃部１０１のフック１０４を、フック１０４が保持具３１１の保持部３１２に嵌合するように挿入することにより、レール用貫通孔３０５に沿って、このフック１０４の位置を移動させることが可能となる。
【００５８】
そして、フック１０４がレール貫通孔３０５に沿って移動することによって、フック収納用凹部３０５の開口部３０５ａを支点として刃部１０１をその側面１０１ａ方向（図５のＷ又はＸ方向）に移動させることができるようになり、刃部１０１の側面１０１ａと把手３００との間の角度を変えることができるようになる。
【００５９】
図７は、本発明の第四の実施形態に係る把手４００及び刃部１０１の分解斜視図である。
【００６０】
本実施形態における刃部１０１についても第一の実施形態で説明したところと同様であるため、説明を省略する。
【００６１】
把手４００は、フック収納用凹部４０５が設けられている側の第一の部材４１６と、この第一の部材４１６をその側面４１６ａの方向、即ち、図７のＹ又はＺの方向に曲げることができるように第一の部材４１６と回動自在に連結された第二の部材４１８と、により構成されている。
【００６２】
本実施形態において、第一の部材４１６と第二の部材４１８とは、ネジ４１９及び蝶ネジ４２０を用いて連結することにより、第一の部材４１６と第二部材４１８とを回動自在に連結するとともに、蝶ネジ４２０を締め付けることにより、第一の部材４１６と第二の部材４１８とを固定することができるようにしている。
【００６３】
以上のように、第一の部材４１６と第二の部材４１８とを回動自在に連結し、第一の部材４１６をその側面方向（Ｙ又はＺ方向）に折曲げることができるようにすることで、第一の部材４１６にピン１０６で固定された刃部１０１の側面１０１ａと第二の部材４１８との間の角度を変更することができるようになる。
【００６４】
図８は、本発明の第五の実施形態に係る把手５００及び刃部１０１の分解斜視図である。
【００６５】
本実施形態における刃部１０１については、第一の実施形態で説明したところと同様であるため、説明を省略する。
【００６６】
把手５００の長手方向の一端５００ａには、刃部１０１に設けられているフック１０４を挿入するためのフック収納用凹部５０５Ａ、５０５Ｂ、５０５Ｃが、三つ設けられている。
【００６７】
ここで、三つ設けられているフック収納用凹部５０５Ａ、５０５Ｂ、５０５Ｃは、第一の実施形態同様、フック１０４をそれぞれに挿入した場合に、把手１００の中心線に対する挿入角度がそれぞれ異なるようにされている。
【００６８】
したがって、刃部１０１のフック１０４を挿入するフック収納用凹部５０５Ａ、５０５Ｂ、５０５Ｃを選択することにより、刃部１０１の側面１０１ｃと把手５００との間の角度を変更することができるようにされている。
【００６９】
なお、本実施形態では、フック収納用凹部５０５Ａ、５０５Ｂ、５０５Ｃを三つ設けたが、この数については適時選択することができる設計事項であり、フック収納用凹部５０５Ａ、５０５Ｂ、５０５Ｃを多く設ければ設けるほど、刃部１０１の側面１０１ｃと把手５００との間の角度を細かく変更することができるようになる。
【００７０】
なお、フック収納用凹部５０５Ａ、５０５Ｂ、５０５Ｃの形状及び大きさについては、刃部１０１に設けられているフック１０４を挿入することができるように、適時選択すればよい。
【００７１】
但し、図９の縦断面図に表されているように、第一のフック収納用凹部５０５Ａの相対向する側壁５０５ｂ−Ａ、５０５ｂ−Ｂ、第二のフック収納用凹部５０５Ｂの相対向する側壁５０５ｂ−Ｃ、５０５ｂ−Ｄ及び第三のフック収納用凹部５０５Ｃの相対向する側壁５０５ｂ−Ｅ、５０５ｂ−Ｆには、下方から上方に向かって徐々に間隔が狭くなるようなテーパーが付けられている。
【００７２】
また、フック収納用凹部５０５Ａ、５０５Ｂ、５０５Ｃを貫通するように、把手５００の一方の側面５００ｂから他方の側面５００ｃに向かってピン５０６が挿入されている。
【００７３】
したがって、図１０に表されているように、刃部１０１に設けられているフック１０４を把手５００に設けられているフック収納用凹部５０５Ａ、５０５Ｂ、５０５Ｃの内から選択されたもの（図１０では、第一のフック収納用凹部５０５Ａにフック１０４を挿入することとしている。）に、下方からフック１０４を挿入し［図１０（Ａ）参照。］、ピン５０６にフック１０４引っ掛けた後、ピン５０６を軸として刃部１０１を上方（図１０では、Ｂ方向）に回転させることで、上方に行くにつれて間隔が狭くなっている第一のフック収納用凹部５０５Ａの相対向する壁面５０５ｂ−Ａ、５０５ｂ−Ｂに刃部１０１が挟み込まれることとなり、刃部１０１と把手５００とを着脱自在に固定することができるようにされている。
【００７４】
以上のように本発明の第五の実施形態に係る把手５００を構成したので、フック１０４を挿入するフック収納用凹部５０５Ａ、５０５Ｂ、５０５Ｃを選択することにより、刃部１０１の側面１０１ａと把手５００との間の角度を変えることができるようになる。
【００７５】
図１１は、本発明の第六の実施形態に係る把手６００及び刃部１０１の上方斜視図である。
【００７６】
把手６００は、フック収納用凹部６０５が設けられている側の第一の部材６１６と、この第一の部材６１６をその側面６１６ａの方向、即ち、図１１のＹ又はＺの方向に曲げることができるように第一の部材６１６と回動自在に連結された第二の部材６１８と、により構成されている。
【００７７】
本実施形態における刃部１０１については、第一の実施形態で説明したところと同様であるため、説明を省略する。
【００７８】
刃部１０１に設けられているフック１０４を挿入するためのフック収納用凹部６０５の相対向する壁面６０５ｂ−Ａ、６０５ｂ−Ｂには、第五の実施形態同様に、フック１０４をピン６０６に引っ掛けた状態で、刃部１０１を上方に回転させることで、刃部１０１を挟み込むことができるように、下方から上方に向かって徐々に間隔が狭くなるようなテーパーが付けられている。
【００７９】
図１２に表されているように、本実施形態において、第一の部材６１６と第二の部材６１８とは、第一の部材６１６に設けた第一の蝶番用管状体６２３と第二の部材６１８に設けた第二の蝶番用管状体６２４とを設け、これらの蝶番用管状体６２３、６２４の貫通孔６２３ａ、６２３ｂとが連続した状態にすることができるように配置し、この貫通孔６２３ａ、６２４ａに、蝶番用軸部材６２５を挿入することで、第一の部材６１６と第二部材６１８とを回動自在に連結している。
【００８０】
そして、第一の部材６１６に設けられた第一の管状体６２３には、第一の部材６１６とは反対側に、縦方向に隙間が空くように配置された二枚の板状体により形成されている固定片６２６が設けられている。
【００８１】
固定片６２６には、側方から円筒形のレバーピン２６７を挿入することができるように、第一のレバーピン用貫通孔６２８が設けられており、また、バネ６２９の一端６２９ａを挿入することができるように第一のバネ用孔６３０が設けられている。
【００８２】
また、二枚の板状体により形成されている固定片６２６の間にバネ６２９と共に挟み込むことができる幅のレバー６３３にも、固定片６２６の間にレバー６３３を挟み込んだ場合に第一のレバーピン用貫通孔６２８と重なる位置に第二のレバーピン用貫通孔６３１が設けられており、また、バネ６２９の他端６２９ｂを挿入することができる第二のバネ用孔６３２が設けられている。
【００８３】
そして、バネ６２９の一端６２９ａを第一のバネ用孔６３０に挿入し、他端６２９ｂを第二のバネ用孔６３２に挿入した状態となるように、レバー６３３を固定片６２６の間に挟み込み、レバーピン６２７を第一のレバーピン用貫通孔６２８及び第二のレバーピン用貫通孔６３１に挿入することにより、レバー６３３は固定片６２６に対して縦方向において回動自在に取り付けられる。
【００８４】
一方、レバー６３３は固定片６２６に対して横方向には回動しないので、レバー６２６を横方向に揺動させることにより、レバー６３３に固定片６２６を介して連結されている第一の部材６１６も蝶番用軸部材６２５を中心として、レバー６２６の揺動に連動させて横方向に揺動させることができるようになる。
【００８５】
なお、第一のバネ用孔６３０と第二のバネ用孔６３２との位置関係は、バネ６２９により、レバー６３３が上方（図１２のＣ方向）に付勢されるように適時配置すればよい。
【００８６】
また、レバー６３３には、その上面に上方に突出する第一の突起６３４と第二の突起６３５とが設けられている。
【００８７】
ぞして、第一の突起６３４を挿入することができる第一の突起用貫通孔６３６Ａ、６３６Ｂ、６３６Ｃと第二の突起を挿入することができる第二の突起用貫通孔６３７を形成した天板６３８をレバー６３３の上方から第二の部材６１８に固定する。
【００８８】
天板６３８には、第一の突起用貫通孔６３６Ａ、６３６Ｂ、６３６Ｃが横に並ぶように三つ設けられており、第一の突起６３４を三つある第一の突起用貫通孔６３６Ａ、６３６Ｂ、６３６Ｃのうち、いずれに挿入するかにより、第二の部材６１８と第一の部材６１６との間の角度を変更することができるようにされている。
【００８９】
そして、図１３に表されているように、第一の突起６３４の高さよりも第二の突起６３５の高さの方が高くなるようにされていることから、第二の突起を下方（図１３のＤ方向）に押圧することにより［図１３（ａ）参照］、レバー６３３は、固定片６２６の縦方向に回動自在にされているため、レバー６３３が下方に移動し、第一の突起６３４が第一の突起用貫通孔６３６Ａ、６３６Ｂ、６３６Ｃに挿入された状態から解放され［図１３（ｂ）参照］、第二の突起６３５を横方向（図１３の紙面に対して垂直方向）に動かすことにより、第一の突起６３４を他の第一の突起用貫通孔６３６Ａ、６３６Ｂ、６３６Ｃに挿入することができるようになり、第一の突起６３４を他の第一の突起用貫通孔６３６Ａ、６３６Ｂ、６３６Ｃに挿入することで第一の部材６１６と第二の部材６１８の間の角度を変えることができるようにされている。
【００９０】
なお、レバー６３３は、上述のように、バネ６２９により、上方に付勢されているため、第二の突起６３５の下方への付勢を解除することで、レバー６３３は、上方の位置に戻ってくるようになる。
【００９１】
また、このように、第二の突起６３５を横方向に動かして、第一の部材６１６と第二の部材６１８とを蝶番用軸部材６２５を中心にして回動させることができるようにするため、第二の突起用貫通孔６３７は、蝶番用軸部材６２５が中心となるように、横方向に長くなる円弧状に形成されている。
【００９２】
なお、第二の部材６１８には、第一の蝶番用管状体６２３との間に固定用片６２６及びレバー６３３を介在させることができるように、第二の蝶番用管状体６２４と第二の部材６１８との間に、スペーサー部６３９が設けられている。
【００９３】
なお、第一の突起用貫通孔６３６Ａ、６３６Ｂ、６３６Ｃの数については、適時選択することができる設計事項である。
【００９４】
以上のように、第一の部材６１６と第二の部材６１８とを回動自在に連結し、第一の部材６１６をその側面方向（Ｙ又はＺ方向）に折曲げることができるようにすることで、第一の部材６１６に固定された刃部１０１の側面１０１ａと第二の部材６１８との間の角度を変更することができるようになる。
【００９５】
【発明の効果】
以上のように、本発明を構成したので、障害物と平行して物を切断する場合でも、刃部の側面と把手との間の角度を変更することで、この障害物が邪魔になることのない把手を提供することができる。
【図面の簡単な説明】
【図１】第一の実施形態に係る把手１００と刃部１０１の上方斜視図。
【図２】把手１００のフック収納用凹部１０５Ａ、１０５Ｂ、１０５Ｃの拡大上面図。
【図３】刃部１０１を第一のフック収納用凹部１０５Ａに挿入した際の上面図。
【図４】第二の実施形態に係る把手２００と刃部１０１の上方斜視図。
【図５】ピン２０６の拡大側面図。
【図６】第三の実施形態に係る把手３００と刃部１０１の上方斜視図。
【図７】第四の実施形態に係る把手４００と刃部１０１の上方斜視図。
【図８】第五の実施形態に係る把手５００と刃部１０１の上方斜視図。
【図９】図８のＡ−Ａ’線における矢示方向からみた縦断面図。
【図１０】刃部１０１の把手５００への取り付け方を表す断面図。
【図１１】第六の実施形態に係る把手６００と刃部１０１の上方斜視図。
【図１２】第一の部材６１６と第二の部材６１８との取付例を表す分解斜視図。
【図１３】第一の突起６３４を第一の突起用貫通孔６３６Ａ〜Ｃから解放する動作例を表す側面図。
【図１４】従来の鋸７０２の分解斜視図
【図１５】従来の鋸７０２の上面図。
【符号の説明】
１００、２００、３００、４００、５００、６００  把手
１０１  刃部
１０３  刃
１０４  フック
１０５、２０５、３０５、４０５、５０５、６０５  フック収納用凹部
１０６、２０６、５０６、６０６  ピン
１０９  内周面
２１０  壁体
３１１  保持具
３１２  保持部
３１３  支持部
３１５  蝶ネジ
４１６、６１６  第一の部材
４１８、６１８  第二の部材
１１９  ネジ
４２０  蝶ネジ
【図１】
2004283922.tif 000003
【図２】
2004283922.tif 000004
【図３】
2004283922.tif 000005
【図４】
2004283922.tif 000006
【図５】
2004283922.tif 000007
【図６】
2004283922.tif 000008
【図７】
2004283922.tif 000009
【図８】
2004283922.tif 000010
【図９】
2004283922.tif 000011
【図１０】
2004283922.tif 000012
【図１１】
2004283922.tif 000013
【図１２】
2004283922.tif 000014
【図１３】
2004283922.tif 000015
【図１４】
2004283922.tif 000016
【図１５】
2004283922.tif 000017